(57)【要約】【課題】  １つの柱脚金物をいろいろな径の大きさの支柱に用いることができるようにした柱脚金物を提供する。【解決手段】  丸形または多角形の中空断面を有する支柱２の下端部に接合してこれを支持する柱脚金物２０であって、基礎の上面に固定され取付け孔１３を有する板状のベース部１２と、テーパ状側面２４を有する略円錐台状または多角錐台状の突出部２２とが一体的に形成され、テーパ状側面２４の上端から下端までの間の任意の位置に、前記支柱２の下端部を接合するための接合凹部２６が形成されたことを特徴とする。【選択図】      図２
2005171501.tif 000002
【特許請求の範囲】
【請求項１】
丸形または多角形の中空断面を有する支柱の下端部に接合してこれを支持する柱脚金物であって、
基礎の上面に固定され取付け孔を有する板状のベース部と、テーパ状側面を有する略円錐台状または多角錐台状の突出部とが一体的に形成され、
前記テーパ状側面の上端から下端までの間の任意の位置に、前記支柱の下端部を接合するための接合凹部が形成された
ことを特徴とする柱脚金物。
【請求項２】
前記ベース部から前記突出部にかけて上下方向に軸孔が貫通する中空状に形成された請求項１に記載の柱脚金物。
【請求項３】
前記ベース部のボルト孔近傍に、上面がアンカーボルト上端部にネジ結合するナットの下面と接触する台座部を形成した請求項１又は請求項２に記載の柱脚金物。
【発明の詳細な説明】
【技術分野】
【０００１】
本発明は、道路標識、街灯又は旗竿等の支柱、或いは建築物等に用いられる支柱を、コンクリート基礎のような基礎の上面に固定するための柱脚金物に関するものである。
【背景技術】
【０００２】
従来において、道路標識、街灯又は旗竿等を設置する場合に、それらの支柱として丸形または角形などの中空断面を有する鋼管が広く用いられていた。またこのような鋼管は、建築物の支柱として用いられることもあった。
【０００３】
例えば図６に示すように、そのような鋼管の支柱２を設置する際には、その長さ方向の下端部２ａを柱脚金物６に溶接により接合して、この柱脚金物６がアンカーボルト８とナット１４を介してコンクリート基礎１０の上面１０ａに固定されるようなものがあった（例えば、特許文献１）。
【０００４】
アンカーボルト８は、コンクリート基礎１０中に埋設されて、その上端部の雄ネジ部８ａがコンクリート基礎１０の上面１０ａから突出している。柱脚金物６は、そのベース部１２に形成されている取付け穴１３にアンカーボルト８の雄ネジ部８ａが挿通するように、コンクリート基礎１０の上面１０ａに載置され、雄ネジ部８ａにナット１４が締付けられて固定されるようになっている。
【０００５】
柱脚金物６は、そのベース部１２の上面１２ａ側に突出する突出部１７が形成されている。この突出部１７は、ベース部１２より大きい厚さを有すると共に、水平方向の平面形状が支柱２の中空断面の内側形状に対応するように形成されているので、支柱２はその下端部２ａを突出部１７の周部に嵌め込んで溶接することができるようになっている。
【０００６】
【特許文献１】特開２０００−３３６７７６号公報
【発明の開示】
【発明が解決しようとする課題】
【０００７】
しかしながら、このような柱脚金物は、鋳造や鍛造で製造することが一般的であるが、支柱の断面形状は丸形や角形等のものがあり、また、それぞれの断面形状ごとに様々な直径のものがあるため、支柱の形状や大きさによって使用する柱脚金物の形状や大きさも変わるため、鋳造や鍛造の型の種類や数が増加するという問題があり、また、新しい形状や大きさの支柱を製造することになった場合には、新たに型を製作する必要が生じるという問題があった。
【０００８】
そこで本発明は、上記問題点に鑑みて、１つの柱脚金物をいろいろな径の大きさの支柱に用いることができるようにした柱脚金物を提供することを課題とするものである。
【課題を解決するための手段】
【０００９】
上記課題を解決するために本発明は、
丸形または多角形の中空断面を有する支柱の下端部に接合してこれを支持する柱脚金物であって、
基礎の上面に固定され取付け孔を有する板状のベース部と、テーパ状側面を有する略円錐台状または多角錐台状の突出部とが一体的に形成され、
前記テーパ状側面の上端から下端までの間の任意の位置に、前記支柱の下端部を接合するための接合凹部が形成されたことを特徴とするものである。
【発明の効果】
【００１０】
このような本発明の柱脚金物によれば、１つの柱脚金物をいろいろな径の大きさの支柱に用いるようにすることができる。
【発明を実施するための最良の形態】
【００１１】
以下、本発明に係る柱脚金物の実施の形態について、図面に基づいて具体的に説明する。
【００１２】
図１及び図２は、本発明の第１の実施の形態に係る柱脚金物２０について説明するために参照する図である。これらの図に示す柱脚金物２０は、図６に示す従来の柱脚金物６と同様の部分には同じ符号を付して説明するものとする。
【００１３】
図１に示すように、柱脚金物２０のベース部１２の上面１２ａ中央部には突出部２２が形成されている。この突出部２２は、円錐の裾側の部分だけを残したような円錐台状に形成されており、その内側の部分が中空になっていて、ベース部１２にわたって上下方向に軸孔２３が貫通している。
そしてこの突出部２２には、その円錐台周部のテーパ状側面２４に、支柱２の下端部を接合する接合凹部２６が、円周方向に無端状に形成されている。
【００１４】
図２に示すように、図中の二点鎖線で示されるような、丸形の中空断面の支柱２が柱脚金物２０の接合凹部２６に接合すると、そのテーパ状側面２４に形成された接合凹部２６の水平面２６ａに支柱２の下端部２ａの端面が突当たると共に、この接合凹部２６の垂直面２６ｂに支柱２の下端部２ａの内周面が嵌合するようになっている。そして、接合凹部２６より上側のテーパ状側面２４の上端部２４ａは支柱２の内周面から離隔するようになっている。
【００１５】
また、接合凹部２６の水平面２６ａに支柱２の下端部２ａの端面が突当たるようになっているので、接合凹部２６より下側のテーパ状側面２４の下端部２４ｂの傾斜面と、支柱２の外周面は、これらの垂直断面において９０°以上の鈍角で交差するため、テーパ状側面２４の下端部２４ｂと支柱２の外周面は、上記断面において滑らかに繋がるようになっている。
【００１６】
また、柱脚金物２０の突出部２２は、当初において、そのテーパ状側面２４に接合凹部２６を有していないが、この接合凹部２６はその垂直面２６ｂの直径が、これに接合する支柱２の中空断面の内径の大きさに対応するように、後からテーパ状側面２４に切削加工を施すことにより接合凹部２６を形成するようになっている。
【００１７】
したがって、支柱２の丸形の中空断面の内径の大小に関わらずに、この中空断面の内径の大きさに応じた直径の垂直面２６ｂを有する無端状の接合凹部２６を、テーパ状側面２４の上端から下端までの間の任意の位置に形成することができると共に、テーパ状側面２４の下端部２４ｂの傾斜面と支柱２の外周面が滑らかに繋がるように形成することができる。
【００１８】
また図１に示すように、柱脚金物２０は、そのベース部１２の上面１２ａ上において、取付け穴１３の近傍にアンカーボルト８に締付けるナット１４の下面に上面が接触する台座部２８が形成されている。この台座部２８の上面は、ベース部１２の底面とほぼ平行に形成されているのに対して、ベース部１２の上面１２ａ上における台座部２８以外の部分は、ベース部１２の中心から離れる方向にその肉厚が薄くなっていくように形成されている。
【００１９】
このような本実施の形態に係る柱脚金物２０によれば、接合凹部２６の形成位置をかえることにより、１つの柱脚金物２０をいろいろな径の大きさの支柱２に用いることができるので、柱脚金物の種類が少なくて済み、従って鋳造や鍛造の型の種類も少なくすることができる。
【００２０】
また、テーパ状側面２４の上端から下端までの間の任意の位置に、支柱２の下端部２ａを接合するための接合凹部２６が形成され、この接合凹部２６に接合された支柱２の外周面とテーパ状側面２４の下端部２４ｂとが滑らかに繋がるようになっているため、見た目がスッキリするだけでなく、安全性や環境の改善にも寄与することができる。
【００２１】
また、ベース部１２及び突出部２２からなる柱脚金物２０は、その上下方向に軸孔２３が貫通している中空形状となっているので、柱脚金物２０を軽量化することができると共に、その材料費を低減してそのコストアップを防止することができるようになっている。
【００２２】
また、柱脚金物２０の軸孔２３はその内部に電気配線等を通したりすることができると共に、その軸孔２３を水抜き孔としても用いるようにすることができる。
【００２３】
また、ベース部１２の上面１２ａ上において、取付け穴１３の近傍にアンカーボルト８に締付けるナット１４の下面に上面が接触する台座部２８が形成されているため、この柱脚金物２０は、アンカーボルト８に締め付けるナット１４の下面を台座部２８の上面に水平面内で接触させて、その締付け力を安定させることができる。
【００２４】
また、ベース部１２の上面１２ａ上における台座部２８以外の部分は、ベース部１２の中心から離れる方向にその肉厚が薄くなっていくように形成されているため、この柱脚金物２０を軽量化することができる。
【００２５】
また、テーパ状側面２４の下端部２４ｂの傾斜面と支柱２の外周面が９０°以上の鈍角で滑らかに繁がるように形成されているため、支柱２を接合凹部２６に接合するための溶接量は、図６の従来の柱脚金物６の突出部１７に支柱２の下端部２ａを接合する際の溶接量の、３分の１位に低減させることができると共に、溶接部周辺の空間を拡大することができるので溶接の自動化も図り易くすることができる。
【００２６】
また、ベース部１２の底面から高く離れた突出部２２の高さ途中で支柱２を溶接するので、溶接の際にベース部１２に伝達される熱による応力集中を緩和することができるので、その熱による応力集中によりベース部１２が変形してその平面度が損なわれるようなことを防止することができる。
【００２７】
次に、図３は、本発明の第２の実施の形態に係る柱脚金物６０を説明するために参照する図である。
本実施の形態に係る柱脚金物６０は、前記第１の実施の形態と同様の突出部２２を有するので、丸形中空断面の支柱を接合することができるようになっているものである。この柱脚金物６０は、ベース部３２の形状が円形になっている点で前記第１の実施の形態と異なるが、第１の実施の形態と同様の効果を奏するようになっている。
【００２８】
図４は、本発明の第３の実施の形態に係る柱脚金物７０を説明するために参照する図である。
本実施の形態に係る柱脚金物７０は、前記第１及び第２の実施の形態とは異なり、固定する支柱が略四角形の中空断面を有する場合に、この支柱を接合することができるようになっているものである。
【００２９】
すなわち、柱脚金物７０は、その突出部４２が四角錐の裾側の部分だけを残したような四角錐台状に形成されており、この点において前記第１及び第２の実施の形態と異なっているが、第１及び第２の実施の形態と同様の効果を奏するようになっている。
【００３０】
図５は、本発明の第４の実施の形態に係る柱脚金物８０を説明するために参照する図である。
本実施の形態に係る柱脚金物８０は、前記第１ないし第３の実施の形態とは異なり、固定する支柱が略八角形の中空断面を有する場合に、この支柱を接合することができるようになっているものである。
【００３１】
すなわち、柱脚金物８０は、その突出部５２が八角錐の裾側の部分だけを残したような八角錐台状に形成されており、この点において前記第１ないし第３の実施の形態と異なっているが、第１ないし第３の実施の形態と同様の効果を奏するようになっている。
【図面の簡単な説明】
【００３２】
【図１】本発明の第１の実施の形態に係る柱脚金物２０を示す斜視図である。
【図２】図１に示す柱脚金物２０の側面断面図である。
【図３】本発明の第２の実施の形態に係る柱脚金物６０を示す斜視図である。
【図４】本発明の第３の実施の形態に係る柱脚金物７０を示す斜視図である。
【図５】本発明の第４の実施の形態に係る柱脚金物８０を示す斜視図である。
【図６】従来の柱脚金物６及び支柱２を示す側面断面図である。
【符号の説明】
【００３３】
２  支柱
２ａ  下端部
６  柱脚金物
８  アンカーボルト
８ａ  雄ネジ部
１０  コンクリート基礎
１０ａ  上面
１２  ベース部
１２ａ  上面
１３  取付け孔
１４  ナット
１７  突出部
１８  肉厚部
１９  段差
２０  柱脚金物
２２  突出部
２３  軸孔
２４  テーパ状側面
２４ａ  上端部
２４ｂ  下端部
２６  接合凹部
２６ａ  水平面
２６ｂ  垂直面
２８  台座部
３２  ベース部
４２，５２  突出部
６０，７０，８０  柱脚金物
【図１】
2005171501.tif 000003
【図２】
2005171501.tif 000004
【図３】
2005171501.tif 000005
【図４】
2005171501.tif 000006
【図５】
2005171501.tif 000007
【図６】
2005171501.tif 000008